(57)【要約】本発明は、オンライン電子メールサービスシステム及びその方法に関するものである。電子メールを受信し、電子メールを格納する電子メールサーバー、多数の詳細情報が格納されたデータサーバー、格納された電子メールの内容に含まれた形態素を分析してキーワードを検索する検索サーバー、及び検索サーバーで検索したキーワードとデータサーバーの詳細情報とをマッチングさせるマッチングサーバーを含み、マッチングした少なくとも一つ以上の詳細情報をクライアントの電子メールのウェブウィンドウの一部空間に表示する。したがって、本発明に係るオンライン電子メールサービスシステム及びその方法は、電子メール内容と関連した詳細情報を容易にかつ迅速に取得することができ、電子メール上で問い合わせた詳細情報の内容を問い合わせ者に容易にかつ迅速に返信することができる電子メールコミュニケーションツールを提供することができる。【選択図】図１
2009541893.tif 000002
【特許請求の範囲】
【請求項１】
オンライン電子メールサービスシステムであって、
電子メールを受信し、前記電子メールを格納する電子メールサーバー、
多数の詳細情報が格納されたデータサーバー、
前記格納された電子メールの内容に含まれた形態素を分析してキーワードを検索する検索サーバー、及び
前記検索サーバーで検索されたキーワードと前記データサーバーの詳細情報とをマッチングさせるマッチングサーバーを含み、
前記マッチングした少なくとも一つ以上の詳細情報をクライアントの電子メールのウェブウィンドウの一部空間に表示することを特徴とするオンライン電子メールサービスシステム。
【請求項２】
前記データサーバーは、前記キーワードを含み、オンライン上で少なくとも一つのクライアントが質問した内容と前記質問に対して少なくとも一つのクライアントが応答した内容とを通じて形成されたデータが前記データサーバーに格納されることを特徴とする請求項１に記載のオンライン電子メールサービスシステム。
【請求項３】
前記検索サーバーは、前記格納された電子メールの内容に含まれた形態素別に分類された単語を、前記電子メールを受信するクライアントが選択した言語に翻訳することを特徴とする請求項１に記載のオンライン電子メールサービスシステム。
【請求項４】
前記検索サーバーは、前記電子メールサービスの多数のクライアントが使用する電子メールの内容を対象にして使用頻度数が最も少ない単語から順位を指定して検索することを特徴とする請求項１ないし３のいずれかに記載のオンライン電子メールサービスシステム。
【請求項５】
前記検索サーバーは、オンライン上の多数のクライアントが検索するリアルタイム人気検索順位情報データが格納された検索データサーバーを含み、前記検索データサーバーに格納されたリアルタイム検索順位の順に検索することを特徴とする請求項１ないし３のいずれかに記載のオンライン電子メールサービスシステム。
【請求項６】
前記検索サーバーは、前記電子メールを受信したクライアントの電子メールのウェブウィンドウの一部空間に形成された検索ウィンドウを提供し、前記検索ウィンドウを通じたクライアントからのキーワード入力に応答して検索を遂行することを特徴とする請求項１または２に記載のオンライン電子メールサービスシステム。
【請求項７】
前記検索サーバーは、前記クライアントが入力したキーワードを、前記電子メールを受信するクライアントが選択した言語に翻訳することを特徴とする請求項６に記載のオンライン電子メールサービスシステム。
【請求項８】
前記電子メールを受信したクライアントが応答電子メールを送信する場合、前記マッチングした少なくとも一つ以上の詳細情報を前記応答電子メールの内容に自動で挿入または添付されることを特徴をする請求項１ないし３、及び６のいずれかに記載の電子メールサービスシステム。
【請求項９】
インターネットオンライン電子メールサービス方法であって、
電子メールサーバーが受信した電子メールの内容に含まれた形態素を分析してキーワードを選択する段階、
多数の情報が格納されたデータサーバーの詳細情報データと前記選択されたキーワードとをマッチングさせる段階、及び
前記マッチングした少なくとも一つ以上の詳細情報をクライアントの電子メールのウェブウィンドウの一部空間に表示する段階を含むことを特徴とするオンライン電子メールサービス方法。
【請求項１０】
前記データサーバーは、前記キーワードを含み、オンライン上で少なくとも一つのクライアントが質問した内容と前記質問に対して少なくとも一つのクライアントが応答した内容とを通じて形成されたデータが前記データサーバーに格納されることを特徴とする請求項９に記載のオンライン電子メールサービス方法。
【請求項１１】
前記キーワードを選択する段階は、前記電子メールサーバーが受信した電子メールの内容に含まれた形態素別に分類された単語を前記クライアントが選択した言語に翻訳することを特徴とする請求項９に記載のオンライン電子メールサービス方法。
【請求項１２】
前記キーワードを選択する段階は、前記電子メールサービスの多数のクライアントが使用する電子メールの内容を対象にして使用頻度数が最も少ない単語から順位を指定して選択することを特徴とする請求項９ないし１１のいずれかに記載のオンライン電子メールサービス方法。
【請求項１３】
前記キーワードを選択する段階は、オンライン上の多数のクライアントが検索するリアルタイム人気検索順位情報データが格納された検索データサーバーを含み、前記検索データサーバーに格納されたリアルタイム検索順位の順に選択することを特徴とする請求項９ないし１１のいずれかに記載のオンライン電子メールサービス方法。
【請求項１４】
前記キーワードを選択する段階は、前記電子メールを受信したクライアントの前記電子メールのウェブウィンドウの一部空間に形成された検索ウィンドウを提供し、前記検索ウィンドウを通じて入力されたキーワードを選択することを特徴とする請求項９ないし１１のいずれかに記載のオンライン電子メールサービス方法。
【請求項１５】
前記キーワードを選択する段階は、前記クライアントが前記格納された電子メールの内容に含まれた形態素別に分類された単語と異なる言語を選択した場合、前記クライアントが選択した言語に翻訳する段階を含むことを特徴とする請求項９ないし１１のいずれかに記載のオンライン電子メールサービス方法。
【請求項１６】
前記電子メールを受信したクライアントが応答電子メールを送信する場合、前記マッチングした少なくとも一つ以上の詳細情報を前記応答電子メールの内容に自動で挿入または添付する段階をさらに含むことを特徴とする請求項９ないし１１のいずれかに記載のオンライン電子メールサービス方法。
【請求項１７】
請求項９ないし１６のいずれかに記載の方法を実行するためのプログラムが記録されたコンピュータ読み取り可能な記録媒体。
【発明の詳細な説明】
【技術分野】
【０００１】
本発明は、オンライン電子メールサービスシステム及びその方法に関するもので、より詳細には、オンライン上で電子メールを受信する場合に電子メールの内容に含まれた特定単語と関連してより詳細な知識が要求される場合、簡易にその単語と関連した詳細情報を提供する電子メールコミュニケーションツールを提供するシステム及び方法に関するものである。
【背景技術】
【０００２】
最近に、郵便による手紙の交信が減り、日常生活や業務などに関連した大部分の意思または情報の疎通は、電子メールサービスを用いて遂行されている。このような電子メールサービスは、オンライン上で多数のクライアントが加入した特定サーバーの電子メール伝送／受信サービスを通じて提供する。一般的な電子メールサービスシステムにおいては、オンライン上で外部の電子メールを受信するウェブサーバーが、受信した電子メールを電子メールサービスに登録されたクライアントに伝送し、各クライアントは、電子メールのウェブウィンドウを通じて受信した電子メールを確認する方法で電子メールの送受信を遂行する。
【０００３】
しかしながら、電子メールの内容においては、電子メール送信者と電子メール受信者との間の安否を伝える内容が含まれる場合だけでなく、特定の情報に対する問い合わせをする場合、または電子メール内容に知らない単語が含まれた場合などのように、特定内容に関する詳細情報を必要とする場合がある。このように、電子メールの内容に含まれた特定単語と関連して詳細情報が必要とされる場合、従来には、電子メールウェブサーバーでなく他のサーバーに接続して情報を検索して詳細情報を取得したり、別の方法で詳細情報を取得したりすることが多かった。
【０００４】
このように電子メールサーバーでなく他のサーバーに接続して情報を取得する場合には、多少複雑な過程を要すると共に、多くの時間を消費する問題点があった。また、特定情報を問い合わせた電子メールを送信したユーザーに、その答弁（Ｒｅｐｌｙ）と共に詳細情報の内容を伝送するためには、詳細情報を別途に収集してファイルを添付するなどの方法で伝送しなければならない不便さがあった。
【発明の開示】
【発明が解決しようとする課題】
【０００５】
そこで、本発明は前述した問題点を解決するためになされたものであり、オンライン上の電子メールの交信を実行する場合において、電子メール内容と関連した詳細情報を容易にかつ迅速に取得することのできるシステムと方法を提供し、電子メール上で問い合わせた詳細情報の内容を問い合わせ者に容易にかつ迅速に返信することのできる電子メールコミュニケーションツールを含むシステム及び方法を提供することにその目的とする。
【課題を解決するための手段】
【０００６】
本発明に係る１つの側面におけるオンライン電子メールサービスシステムは、電子メールを受信し、前記電子メールを格納する電子メールサーバー、多数の詳細情報が格納されたデータサーバー、前記格納された電子メールの内容に含まれた形態素を分析してキーワードを検索する検索サーバー、及び前記検索サーバーで検索されたキーワードと前記データサーバーの詳細情報とをマッチングさせるマッチングサーバーを含み、前記マッチングした少なくとも一つ以上の詳細情報をクライアントの電子メールのウェブウィンドウの一部空間に表示することを特徴とする。
【０００７】
ここで、前記データサーバーは、前記キーワードを含み、オンライン上で少なくとも一つのクライアントが質問した内容と前記質問に対して少なくとも一つのクライアントが応答した内容とを通じて形成されたデータが前記データサーバーに格納されることが好ましく、前記検索サーバーは、前記格納された電子メールの内容に含まれた形態素別に分類された単語を、前記電子メールを受信するクライアントが選択した言語に翻訳することが好ましい。
【０００８】
また、前記検索サーバーは、前記電子メールサービスの多数のクライアントが使用する電子メールの内容に含まれた、使用頻度数が最も少ない単語から順位を指定して検索することが好ましく、前記検索サーバーは、オンライン上の多数のクライアントが検索するリアルタイム人気検索順位情報データが格納された検索データサーバーを含み、前記検索データサーバーに格納されたリアルタイム検索順位の順に検索することが好ましい。
【０００９】
さらに、前記検索サーバーは、前記電子メールを受信したクライアントの電子メールのウェブウィンドウの一部空間に形成された検索ウィンドウを提供して検索できるようにすることが好ましく、前記検索サーバーは、前記クライアントが入力したキーワードを前記電子メールを受信するクライアントが選択した言語に翻訳することが好ましい。
【００１０】
さらには、前記電子メールを受信したクライアントが応答電子メールを送信する場合、前記マッチングした少なくとも一つ以上の詳細情報を前記応答電子メールの内容に自動に挿入または添付させるようにすることが好ましい。
【００１１】
また、本発明に係る他の側面としてのインターネットオンライン電子メールサービス方法（第２特徴）は、電子メールサーバーが受信した電子メールの内容に含まれた形態素を分析してキーワードを選択する段階、多数の情報が格納されたデータサーバーの詳細情報データと前記選択されたキーワードとをマッチングさせる段階、及び前記マッチングした少なくとも一つ以上の詳細情報をクライアントの電子メールのウェブウィンドウの一部空間に表示する段階を含むことを特徴とする。
【００１２】
ここで、前記データサーバーは、前記キーワードを含み、オンライン上で少なくとも一つのクライアントが質問した内容と前記質問に対して少なくとも一つのクライアントが応答した内容とを通じて形成されたデータを格納することが好ましく、前記キーワードを選択する段階は、前記電子メールサーバーが受信した電子メールの内容に含まれた形態素別に分類された単語を、前記電子メールを受信するクライアントが選択した言語に翻訳することもやはり好ましい。
【００１３】
また、前記キーワードを選択する段階は、前記電子メールサービスの多数のクライアントが使用する電子メールの内容で、使用頻度数が最も少ない単語から順位を指定して選択することが好ましく、前記キーワードを選択する段階は、オンライン上の多数のクライアントが検索するリアルタイム人気検索順位情報データが格納された検索データサーバーを含み、前記検索データサーバーに格納されたリアルタイム検索順位の順に検索することが好ましい。
【００１４】
さらに、前記キーワードを選択する段階は、前記電子メールを受信したクライアントの前記電子メールのウェブウィンドウの一部空間に形成された検索ウィンドウを通じて直接に入力して選択できるようにすることが好ましく、前記キーワードを選択する段階は、前記格納された電子メールの内容に含まれた形態素別に分類された単語を前記送信された電子メールの言語と異なる言語を選択した場合、前記クライアントが選択した言語に翻訳する段階を含むことが好ましい。
【００１５】
またさらに、前記電子メールを受信したクライアントが応答電子メールを送信する場合、前記マッチングした少なくとも一つ以上の詳細情報前記応答電子メールの内容に自動で挿入または添付する段階をさらに含むことが好ましい。
【００１６】
また、本発明のさらに他の側面におけるコンピュータ読み取り可能な記録媒体は、前述した本発明に係るオンラインサービス方法を実行するためのプログラムが記録されていることを特徴とする。
【発明の効果】
【００１７】
本発明によれば、電子メールの受信者は、電子メール内容と関連した詳細情報を容易にかつ迅速に取得することができるだけでなく、電子メール上で問い合わせた詳細情報の内容を問い合わせ者に容易にかつ迅速に返信することができる。
【発明を実施するための最良の形態】
【００１８】
以下、添付図面を参照して、本発明に係る好ましい実施形態について詳細に説明する。
【００１９】
図１は、本発明に係るオンライン電子メールサービスシステムを示すブロック図である。
【００２０】
図１に示すように、本発明の電子メールサービスシステムは、オンライン上で電子メールサービスに登録されたそれぞれのクライアント１０がインターネット５０に接続し、このインターネットを通じて電子メールサービスを受けることを基本的な構成とする。
【００２１】
外部または登録されたクライアント１０から電子メールが送信されると、この電子メールを受信して電子メールサーバー１００に格納する。この格納された電子メールは、電子メールサーバーから提供される各クライアント１０の電子メールのウェブウィンドウを通じて電子メールを確認することが一般的な電子メールサービスの構造である。
【００２２】
これに対して、本発明は、電子メールを受信及び格納する電子メールサーバー１００、多数の詳細情報が格納されたデータサーバー２００、この格納された電子メール内容の形態素を分析してキーワードを検索する検索サーバー３００、検索サーバーで検索したキーワードとデータサーバーの詳細情報データとをマッチングさせるマッチングサーバー４００を含み、このマッチングした少なくとも一つ以上の詳細情報をクライアント１０の電子メールのウェブウィンドウの一部空間（ウェブウィンドウの領域の一部）に表示することを特徴とする。
【００２３】
ここで、多数の詳細情報が格納されたデータサーバー２００、格納された電子メール内容の形態素を分析してキーワードを検索する検索サーバー３００、検索サーバーで検索したキーワードとデータサーバーの詳細情報データとをマッチングさせるマッチングサーバー４００のうち、少なくともいずれか一つは、本発明に係るオンライン電子メールサービスシステムの外部に設けることも可能である。すなわち、外部の検索サーバーを通じてキーワードを抽出して電子メールサーバーに提供することができ、外部のデータサーバーを通じて詳細情報データを受信することもでき、外部のマッチングサーバーを通じて上記キーワードと詳細情報データとをマッチングさせることもできる。
【００２４】
オンライン電子メールシステムの構成要素であるデータサーバー２００は、オンラインネットワークを通じて質問（Ｑｕｅｒｙ）と答弁（Ｒｅｐｌｙ）とからなる知識データが格納されることが好ましい。すなわち、一定の質問があるユーザー（質問者）は、自分自身のユーザー端末を利用してインターネットを通じて質問答弁サービスシステムに接続して自分自身の質問を登録する。また、他のユーザー（答弁者）は、自分自身のユーザー端末を利用してインターネットを通じて質問答弁サービスシステムに接続して質問に対する答弁を登録する。
【００２５】
このような構成により、インターネット上でユーザーの間に質問及び答弁が登録されることになり、質問者は、自分自身の質問に対する答弁を得ることができる。また、質問答弁サービスシステムは、所定のデータベースを備えて質問及びその質問に対する答弁をデータサーバーに格納することによって、本発明に係るオンライン電子メールサービスシステムを構成する。
【００２６】
図２から図４は、本発明に係るオンライン電子メールサービスシステムにより提供されるクライアントの電子メールのウェブウィンドウを示す例示図である。
【００２７】
図２に示すように、クライアントが電子メールを確認する場合、電子メール内容の形態素を分析してキーワードを検索して抽出することになり、この抽出されたキーワードと関連した詳細情報をクライアントの電子メールのウェブウィンドウの一部空間に表示することになる。図２に示すように、電子メールの内容に含まれている、母、誕生日、プレゼントなどのような単語を検索サーバーから抽出し、この抽出された単語とデータサーバーにある詳細情報とをマッチングさせ、マッチングした詳細情報をクライアントの電子メールのウェブウィンドウの一部空間に表示することによって、ユーザーに電子メールコミュニケーションツールを提供する。
【００２８】
前述した検索サーバー３００におけるキーワード抽出方法は、多様に適用することができるが、ユーザーが電子メールを作成する際に一般的に使われる単語の使用頻度数に基づいた抽出方法が好ましく、オンライン上のインターネットユーザーのリアルタイム人気検索順位に対応して抽出する方法でもよい。
【００２９】
すなわち、図３の電子メールの内容に含まれたひとつの単語であるＢＰＭのように、一般的な電子メールサービスに接しているユーザーにより頻繁に使用される単語でない場合、使用頻度数が低くなる。このように、使用頻度数が低い単語から形態素を分類して抽出することになるので、一般的にクライアントが知らない単語に対して特別に詳細情報を必要とする点を考慮すると、ユーザーの要求に応じることができる長所がある。
【００３０】
また、図４に示すように、観光、宿泊などのような単語も頻度数が低い単語からキーワードを抽出するので、電子メールの発送者の質問に適合する詳細情報を容易に取得することができる長所もある。
【００３１】
ここで、検索サーバーによって抽出されたキーワードは、図２から図４に示すように、太字や下線を引いてその他の単語と区別することができ、その単語と関連した情報を自動でクライアントのウェブウィンドウの一部空間に表示することができるだけでなく、電子メールの内容の中で、抽出されたキーワードとして太字や下線の引かれた単語を直接クリックしてクライアントの電子メールのウェブウィンドウの一部空間に表示することも可能である。
【００３２】
また、クライアントの電子メールのウェブウィンドウの一部空間に表示された詳細情報は、キーワードと関連した詳細情報だけでなく、この詳細情報と関連したサイトにアクセスすることができるようにアドレスをリンクして表示されるようにしてもよい。
【００３３】
図５は、本発明に係るオンライン電子メールシステムの一例であって、母国語以外の外国語で表現された電子メールの内容が含まれたクライアントの電子メールのウェブウィンドウを示す例示図である。図５に示すように、母国語で書かれた電子メールでなく、その他の言語で書かれた電子メールを受信する場合がある。特に、一般的な会社業務と関連して母国語以外の外国語で書いてある電子メールを受ける場合が多くある。
【００３４】
このように、母国語で書いてある電子メールでなく、他の言語で書いてある電子メールの場合、ユーザーは、電子メールの内容の詳細情報を検索する際に、その他の言語の電子メールを母国語に翻訳して外部の検索ブラウザを通じて詳細情報を取得する場合がほとんどである。これに比べて、本発明に係るオンライン電子メールシステムは、電子メールサーバーに格納された電子メールの内容からキーワードを抽出し、翻訳サーバーを通じて母国語に翻訳することになり、この翻訳されたキーワードとデータサーバーの詳細情報とをマッチングさせ、マッチングした詳細情報をクライアントの電子メールのウェブウィンドウの一部空間に表示する。
【００３５】
図５に示すように、太字で表記したキーワードの右側のウィンドウにそのキーワードと関連した詳細情報を表示することによって、ユーザーは、容易に該当詳細情報を取得することができ、それに関連したサイトアドレスをリンクして容易に具体的な詳細情報を取得することができる。本発明は、図５に例示した韓国語電子メールだけでなく、日本語、中国語などのような他の言語の電子メールを受信する場合にも、検索サーバーに含まれた翻訳サーバーを通じて翻訳過程を経て、同一な詳細情報を提供する電子メールコミュニケーションツールを提供することができる。勿論、検索サーバーは、別途に翻訳サーバーを含むものだけでなく、検索サーバー自体が翻訳する機能を有するサーバーである。
【００３６】
図６は、本発明の一実施形態において、オンライン電子メールシステムの構成要素である検索サーバー３００でのキーワードを検索する方法のフローを示す例示図である。
【００３７】
図６に示すように、電子メールを受信すると、文章から構成された内容が表示され、この文章は、名詞、代名詞、副詞、形容詞などの形態素で構成されている。この電子メール内容の文章に対して、まず形態素の分析を遂行して単語を抽出し（Ｍ３１０）、抽出された単語を多数のクライアントまたはユーザーにより使用される単語と比較して単語使用の頻度数を測定し（Ｍ３２０）、頻度数の低い順に整列して（Ｍ３３０）、キーワードを抽出する（Ｍ３４０）。
【００３８】
頻度数を測定して低い頻度数の順にキーワードを抽出または検索する方法を適用すると、それだけクライアントには知らない単語であるため、結局、より多くの詳細情報が必要とされる可能性が高まることになり、ユーザーの要求に応じることができる。
【００３９】
ここで、使用頻度数の基準点は、電子メールサービスを利用するユーザーの電子メールの内容に基づいて適用することもでき、インターネットのユーザーが通常使用する電子メールの内容に基づいて適用することもできる。電子メールサービスのユーザーの要求に適切に応じるためには、使用頻度数の基準点をより多くの電子メールのユーザーの統計資料を通じて適用することが好ましい。また、この基準点は固定値ではなく、電子メールのユーザーの使用パターンに応じて変化させることがさらに好ましい。このようにすることによって、オンライン電子メールサービスのユーザーの要求により一層応じることになる。
【００４０】
図７は、本発明に係るもう一つの実施形態であって、オンライン電子メールサービスシステムの構成要素であるリアルタイム人気検索語の順にキーワードを抽出する検索サーバーの構成を示す例示図である。
【００４１】
リアルタイム人気検索語抽出検索サーバー３００は、ログ収集手段３１０、入力回数算定手段３２１、入力回数合算手段３２２、検索回数推定手段３２３、判定数値演算手段３２４、検索語抽出手段３２５及び検索語配列手段３２６を含む。
【００４２】
ログ収集手段３１０は、所定の時間間隔ごとに一つ以上の外部検索サーバーからログデータを収集する。ここで、時間間隔は、リアルタイム人気検索語検出検索サーバー３００の運営者が自由に設定する一定の期間である。例えば、急上昇検索語をより正確に検出できるように、できるだけ短い期間に設定することもできる。
【００４３】
すなわち、ログ収集手段３１０は、該当時間間隔に設定された期間に内部の各々の個別検索サーバーに新しく入力された検索語の現況を収集されるログデータを通じて確認する。
【００４４】
前述したように、ログデータには、ユーザー端末から入力された検索語及び検索語の入力時間に関する情報が含まれる。例えば、時間間隔を５秒に設定したログ収集手段３１０は、ログデータの入力時間に基づいて現在から前の５秒間に個別検索サーバーに新しく記録された検索語に関する情報を取得することができる。
【００４５】
入力回数算定手段３２１は、収集されたログデータを利用して検索語別に入力回数を算定し、検索語別に算定された入力回数を各タイムデータと関連してデータベース３３０に格納する。すなわち、入力回数算定手段３２１は、上記時間間隔の間に新しく入力されたものとして記録された検索語をログデータを通じて識別し、識別された検索語に基づいて入力の回数をカウントする。
【００４６】
また、入力回数算定手段３２１は、ログデータを収集した時間と関連したタイムデータを生成することができ、生成されたタイムデータと検索語別に算定された入力回数とを対応させてデータベース３３０に格納する。これによって、データベース３３０には、現時点以前にユーザー端末から入力された検索語及び検索語別に算定された入力現況に関する情報が時間間隔に区分されて格納される。
【００４７】
入力回数合算手段３２２は、データベース３３０を参照して所定のスライディングウィンドウに属する一つ以上のタイムデータを識別し、識別されたタイムデータと関連した検索語別の入力回数を各検索語別に合算する。ここで、スライディングウィンドウは、データベース３３０から検索する情報を決定する役割をする仮想の時間範囲を意味し、システムの運営者により設定されたｎ期間にデータベース３３０に格納された情報を選別的に検索することができる。
【００４８】
検索回数推定手段３２３は、合算した入力回数に基づいて各検索語別に推定検索回数を演算する。すなわち、検索回数推定手段３２３は、現時点に近く限定された時間範囲内で算出された検索語別の入力回数に基づいて、未来の時点に発生すると予想される検索回数を予測する役割をする。推定検索回数の演算において、検索回数推定手段３２３は、人為的に操作した検索語を除いた後、純粋に検索のために入力された検索語だけを利用して検索回数を予測することができる。
【００４９】
例えば、入力回数を増加させようとする意図で広告事業者が特定の検索語を過度に入力する場合、検索回数推定手段３２３は、当該検索語を攻撃性のある検索語であると判断し、関連した入力回数が推定検索回数の演算に反映されないように所定の除外処理を遂行することができる。推定検索回数を推定する基準時間は、システムの運営者により自由に設定されることができる。例えば、一日を基準に推定することができる。
【００５０】
判定数値演算手段３２４は、演算した推定検索回数を利用して第１から第４判定数値を算出する役割をすると共に、検索語抽出手段３２５は、算出した第１から第４判定数値に基づいてリアルタイム急上昇検索語を検出する役割をする。ここで、判定数値は、関連した検索語が急上昇する検索語であるかを判断する数値情報であり、検索語抽出手段３２５は、判定数値が所定の数値以上である検索語または判定数値が相対的に大きい検索語を急上昇検索語と判断して検出する。
【００５１】
以後、検索語抽出手段３２５は、各検索語別に推定検索回数と第１判定数値とを比較して、推定検索回数が第１判定数値以上である検索語を検出する。
【００５２】
また、リアルタイム急上昇検索語検出検索サーバー３００は、検出された急上昇検索語を所定の整列条件によって配列し、これを個別検索サーバーに接続する検索者に露出させることができる。このために、リアルタイム急上昇検索語検出検索サーバー３００は、算出された第１から第４判定数値の大きさの順に検出された急上昇検索語を配列して、急上昇検索語の目録（リスト）を生成する検索語配列手段３２６をさらに含むことができる。
【００５３】
すなわち、検索語配列手段３２６は、急上昇検索語として優先して検出された検索語により高いランクを与えるようにして急上昇検索語の目録を生成し、これを個別検索サーバーに提供することによって、個別検索サーバーにアクセスする検索者に急上昇検索語の目録を露出させる。
【００５４】
特に、検索語配列手段３２６は、急上昇検索語の目録を前述した時間間隔（ログデータを収集する周期）ごとに生成することによって、急上昇検索語の目録を持続的に更新して検索者に露出することができ、現時点での検索語の入力傾向に関する情報をより速かに検索者に伝えることができる。
【００５５】
このようなリアルタイム人気検索語の順にキーワードを抽出する検索サーバー３００を通じてキーワードを抽出すると、オンライン上でネチズンが関心を持つ事件などのようなイシュー（論点や争点等）に対応するキーワードを抽出することになる。このようなキーワードは、クライアントの電子メールを通したコミュニケーションで要求される情報と一致する可能性が極めて高いため、クライアントのオンライン電子メールサービスに関する様々な要求を殆ど満足させることができる長所がある。
【００５６】
図８は、本発明に係るもう一つの実施形態であって、オンライン電子メールシステムを適用したクライアントの電子メールのウェブウィンドウを示す例示図である。
【００５７】
図８に示すように、このシステムにおいて、検索サーバーで自動的に電子メールの内容に含まれた形態素を分析してキーワードを検索すると共に、クライアントが希望する情報と関連した単語が検索されない場合には、クライアントが電子メールのウェブウィンドウの一部空間に表示された検索ウィンドウを通じて検索キーワードを直接に入力することができる。一方、検索サーバーは、電子メールのウェブウィンドウの一部空間に検索ウィンドウを提供し、検索ウィンドウを通じてクライアントが検索しようとする詳細情報と関連したキーワードが入力されると、詳細情報を表示させる。
【００５８】
すなわち、検索サーバーは、一般的な検索ブラウザを利用して電子メールのウェブウィンドウの一部空間に検索ウィンドウを表示し、検索ウィンドウに入力されたキーワードとデータサーバーに格納された詳細情報とをマッチングさせて、クライアントの電子メールのウェブウィンドウの一部空間に表示する機能を遂行する。
【００５９】
本実施形態は、クライアントが希望する詳細情報と関連したキーワードを直接に入力してその詳細情報を取得するので、最適の情報を取得することができる長所がある。すなわち、自動でキーワードを抽出するようになっていても、キーワードがまさにクライアントが希望する情報と関連したキーワードでない場合、クライアントは、希望する情報を得ることができないし、それに応じた正確な情報を得ることができない。したがって、クライアントが直接に入力するようにして、クライアントに一層便利で正確なサービスを提供することができる。
【００６０】
そして、図８に例示したオンライン電子メールサービスシステムにおいて、詳細情報が格納されたデータサーバー２００は、オンラインネットワークを利用した質問及び答弁サービスを通じて形成されたデータを格納するデータサーバーであることが好ましい。
【００６１】
また、図８に例示したオンライン電子メールサービスシステムの検索サーバー３００は、電子メールの内容が母国語以外の外国語からなる電子メールである場合、電子メールを受信したクライアントが入力したキーワードをクライアントが選択した言語に翻訳するように構成することが好ましい。これによって、クライアントが母国語以外の外国語で書かれた、知らない単語の意味の把握における難しさを解消し、この単語と関連した詳細情報をクライアントが直接に選択した言語で取得することができる。
【００６２】
図９は、本発明のもう一つの実施形態であって、電子メールを受信したクライアントが応答電子メールを返信する場合、電子メールの送信者に提供される電子メールのウェブウィンドウを示す例示図である。
【００６３】
図９に示すように、図２から図４及び図８に例示したオンライン電子メールサービスシステムを通じて詳細情報を取得したクライアントが、受信した電子メールに対する応答電子メールを返信する場合、取得された詳細情報を自動で返信することになるので、より便利で有用な電子メールコミュニケーションツールを提供することができる。すなわち、クライアントが取得した詳細情報を返信内容に自動で挿入または添付することができるので、別途に詳細情報を収集及び添付しなければならない不便さを除去することができる。ここで、詳細情報を電子メール内容と共に返信するか否かを選択することができるのは言うまでもない。
【００６４】
以下、図面を参照して本発明に係る第２特徴におけるオンライン電子メールサービス方法に関する好ましい実施形態について説明する。
【００６５】
図１０は、本発明に係るオンラインサービス方法における電子メール受信段階の簡単なフローを示す例示図である。
【００６６】
図１０に示すように、外部または他のクライアントが送信した電子メールを電子メールサーバーで受信し、これをクライアントに送信すると、クライアントが電子メールを受信する段階において、クライアントは、電子メールサーバーが受信した電子メールの内容に含まれた形態素を分析してキーワードを選択し（Ｓ３００）、多数の情報が格納されたデータサーバーの詳細情報と選択されたキーワードとをマッチングさせ（Ｓ４００）、このマッチングした少なくとも一つの詳細情報をクライアントの電子メールのウェブウィンドウの一部空間に表示する（Ｓ５００）段階で構成される。
【００６７】
すなわち、クライアントが電子メールを受信する段階において、クライアントが必要とする詳細情報と関連したキーワードを自動で選択し（Ｓ３００）、データサーバーに格納された詳細情報とマッチングさせ（Ｓ４００）、最適の詳細情報をクライアントのウェブウィンドウの一部空間に電子メール内容と共に提供することによって（Ｓ５００）、便利なオンライン電子メールコミュニケーションツールを提供するサービス方法を示す。
【００６８】
図１１及び図１２は、本発明に係るオンライン電子メールサービス方法における質問及び答弁システムの論理的なフローチャートである。
【００６９】
図１１及び図１２に示すように、質問答弁サービスシステムを通じて形成されたデータを格納するデータサーバーを利用してオンライン電子メールサービスを提供する。以下では、質問答弁サービスシステムにおける知識データを抽出する方法についてより具体的に説明する。
【００７０】
まず、質問を提供する段階（２０１）においては、第１ユーザーから入力された質問を所定のウェブページに提供し、答弁入力段階（２０２）においては、質問に対して所定の期間に第２ユーザーから答弁の入力を受け、ウェブページ上に答弁を提供する段階（２０３）においては、質問と関連して答弁を上記ウェブページに提供する。
【００７１】
そして、答弁を知識データとして決定する段階（２０４）においては、質問及びその質問と関連した答弁を知識データとして決定したり、答弁の入力及び答弁の採択が完了した場合、すなわち、これ以上の質問及び答弁に変動がない状態で、知識データとして決定する。
【００７２】
また、推薦入力段階（２０５）においては、第３ユーザーから知識データに対する推薦の入力を受けたり、第３ユーザーは、質問を入力した第１ユーザー及び答弁を入力した第２ユーザーと一致するか否かを判断し、一致しない場合には、推薦の入力を受けたりすることによって、推薦の客観性を担保することができる。さらに、推薦提供段階（２０６）においては、推薦と知識データとを関連してウェブページ上に提供する。
【００７３】
本発明のもう一つの実施形態によれば、推薦が入力された知識データは、他の知識データと区別されるように所定の表示方法によって表示される。推薦が入力された知識データは、文字や背景の色、文字のサイズなどが異なるように表示されたり、さらに所定のアイコンが付加的に表示されたりするなどの表示方法により表示することができる。したがって、ユーザーは、推薦が入力された知識データを容易に認知することができるので、閲覧しやすくなる。
【００７４】
また、本発明のもう一つの実施形態によれば、推薦入力段階（２０５）は、第３ユーザーから知識データと関連したカテゴリーの入力を受ける段階を含み、推薦提供段階（２０６）は、カテゴリーを知識データと関連して表示させる段階を含む。
【００７５】
したがって、カテゴリーと関連した知識の提供を受けようとするユーザーは、ウェブページに表示されたカテゴリーを利用して簡易にカテゴリーと関連して推薦した知識データを閲覧することができる。
【００７６】
続いて、質問答弁サービスシステムは、段階（２０７）で、知識データベースに知識データ及び知識データと関連した推薦情報を維持する。推薦情報は、知識データに対する推薦が入力されたか否かに関する情報である。
【００７７】
質問答弁サービスシステムは、段階（２０８）で、第４ユーザーから知識データに対する検索要請を受信すると、段階（２０９）で、検索要請に応答して知識データベースから知識データを検索する。このとき、複数の知識データが検索される場合、段階（２１０）で、推薦情報に基づいて検索された知識データが推薦した知識データであるか否かを判断し、推薦した知識データに対しては所定の加重値を与えて知識データの配列順序を決定する（段階２１１及び段落２１２）。したがって、検索キーワードに対する知識データの一致度などの以外に、上記推薦可否が配列順序を決定するもう一つの要素になることができる。
【００７８】
したがって、本発明に係るオンラインサービス方法においては、このような質問答弁システムを利用して形成された知識データが格納されたデータサーバーを通じてクライアントが電子メールを受信すると、受信した電子メール内容から抽出されたキーワードとデータサーバーに格納された詳細情報とをマッチングさせ、このマッチングした詳細情報をクライアントの電子メールのウェブウィンドウの一部空間に表示する構成を含む。
【００７９】
図１３は、本発明に係るもう一つの実施形態であって、キーワード選択段階で受信した電子メールの内容の言語と異なる言語で書かれた詳細情報を取得する場合、適用される方法を例示したフローチャートである。
【００８０】
図１３は、クライアントが韓国語の電子メールなどのような母国語以外の外国語電子メールを受信する場合、母国語で書いてある詳細情報を必要とする場合がある。すなわち、クライアントが受信した電子メールの内容の言語と異なる言語で書いてある詳細情報を取得する場合、本発明に係るオンライン電子メールサービス方法であって、キーワードを選択する段階で、キーワードを抽出する方法を例示している。
【００８１】
キーワードを選択する段階において、クライアントが受信した電子メール内容の言語と異なる言語を選択する場合に（Ｓ３５０  Ｙｅｓ）、この電子メール内容の形態素を分析し（Ｓ３５１）、形態素別に、選択された言語に翻訳する（Ｓ３５３）。次に、この翻訳された単語を通じてキーワードを抽出し（Ｓ３５５）、抽出されたキーワードとデータサーバーの詳細情報とをマッチングさせる（Ｓ４００）。勿論、電子メール内容の言語と異なる言語を選択しない場合に（Ｓ３５０  Ｎｏ）、直ぐに形態素を分析して（Ｓ３５２）キーワードを抽出し（Ｓ３５４）、この抽出されたキーワードとデータサーバーの詳細情報とをマッチングさせて（Ｓ４００）、クライアントの電子メールのウェブウィンドウの一部空間に表示する。
【００８２】
本発明に係るもう一つの実施形態において、キーワード選択段階で、リアルタイム人気検索語の順にキーワードを抽出する方法を利用することも好ましい。すなわち、オンライン上のインターネットユーザーが検索語を分析した統計資料から人気検索順位を決定し、この検索順位に基づいて本発明におけるオンライン電子メールサービス方法でキーワードを選択し、選択されたキーワードとデータサーバーの詳細情報とをマッチングさせ、このマッチングした詳細情報をクライアントに提供するようにしてもよい。
【００８３】
そして、このような人気検索語は、毎時間ごとに変化する流動的なものであるので、人気検索順位は、リアルタイムデータであることが好ましい。それによって、オンライン電子メールサービスを利用するユーザーが電子メールの内容に含まれた、最近イシューになっているキーワードと関連した詳細情報を容易に取得することができ、そのユーザーの要求により一層応じることができるようになる。ここで、リアルタイム人気検索順位を決定する方法は、多様に適用することができ、必ず特定の一つのサーバーから抽出された検索順位データである必要はない。
【００８４】
本発明に係る実施形態における電子メールコミュニケーションツールを提供する方法は、コンピュータにより具現される多様な動作を実行するためのプログラム命令を含むコンピュータ読取可能な記録媒体を含む。コンピュータ読取可能な記録媒体としては、プログラム命令、データファイル、データ構造などを単独または組合せて含むことができる。この媒体に記録されるプログラム命令は本発明のために特別に設計され構成されたものでもよく、コンピュータソフトウェアの当業者に公知され使用できるものでもよい。コンピュータ読取可能な記録媒体の例は、ハードディスク、フロッピー（登録商標）ディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロップティーカールディスク（Ｆｌｏｐｔｉｃａｌ  ｄｉｓｋ）のような磁気−光媒体（ｍａｇｎｅｔｏ−ｏｐｔｉｃａｌ  ｍｅｄｉａ）、及びリードオンリーメモリ（ＲＯＭ）、ランダムアクセスメモリ（ＲＡＭ）、フラッシュメモリなどのようなプログラム命令を格納して行うように特別に構成されたハードウェア装置を含む。プログラム命令の例には、コンパイラーにより作られるような機械語コードだけでなく、インタープリターなどを使用してコンピュータによって実行されることのできる高級言語コードが含まれる。前述したハードウェア装置は本発明の動作を行うために一つ以上のソフトウェアモジュールとして作動するように構成されることができ、その逆も同様である。
【００８５】
以上、本発明の詳細な説明では具体的な実施形態について説明したが、本発明の要旨から逸脱しない範囲内で多様に変形できる。よって、本発明の権利範囲は、上述の実施形態に限定されるものではなく、特許請求の範囲の記載及びこれと均等なものに基づいて定められるべきである。
【産業上の利用可能性】
【００８６】
本発明に係るオンライン電子メールサービスシステム及びその方法によれば、オンライン上で電子メール交信を遂行するにおいて、電子メールの内容と関連した詳細情報を容易にかつ迅速に取得することができ、電子メール上で問い合わせた詳細情報の内容を問い合わせ者に容易にかつ迅速に返信する電子メールコミュニケーションツールを提供することができるようになる。
【図面の簡単な説明】
【００８７】
【図１】本発明に係るオンライン電子メールサービスシステムを示すブロック図である。
【図２】本発明に係るオンライン電子メールサービスシステムを通じて表示されるクライアントの電子メールのウェブウィンドウを示す例示図である。
【図３】本発明に係るオンライン電子メールサービスシステムを通じて表示されるクライアントの電子メールのウェブウィンドウを示す例示図である。
【図４】本発明に係るオンライン電子メールサービスシステムを通じて表示されるクライアントの電子メールのウェブウィンドウを示す例示図である。
【図５】本発明に係るオンライン電子メールシステムの一例として、母国語以外の外国語からなった電子メールの内容が表示されたクライアントの電子メールのウェブウィンドウを示す例示図である。
【図６】本発明の一実施形態において、オンライン電子メールシステムの構成要素である検索サーバーでキーワードを検索する方法を例示するフローチャートである。
【図７】本発明に係るオンライン電子メールサービスシステムの構成要素であるリアルタイム人気検索語の順にキーワードを抽出する検索サーバーの構成を示すブロック図である。
【図８】本発明に係る第２特徴の一実施形態において、オンライン電子メールシステムを適用したクライアントの電子メールのウェブウィンドウを示す例示図である。
【図９】本発明のもう一つの実施形態において、電子メールを受信したクライアントが応答電子メールを返信する場合、電子メールの送信者に提供される電子メールのウェブウィンドウを示す例示図である。
【図１０】本発明に係るオンラインサービス方法を簡略に示すフローチャートである。
【図１１】本発明に係るオンライン電子メールサービス方法で使用される質問及び答弁システムの論理的なフローチャートである。
【図１２】本発明に係るオンライン電子メールサービス方法で使用される質問及び答弁システムの論理的なフローチャートである。
【図１３】本発明に係るもう一つの実施形態において、キーワード選択段階で受信した電子メール内容の言語と異なる言語で書かれた詳細情報を取得する場合、適用される方法を示すフローチャートである。
【図１】
2009541893.tif 000003
【図２】
2009541893.tif 000004
【図３】
2009541893.tif 000005
【図４】
2009541893.tif 000006
【図５】
2009541893.tif 000007
【図６】
2009541893.tif 000008
【図７】
2009541893.tif 000009
【図８】
2009541893.tif 000010
【図９】
2009541893.tif 000011
【図１０】
2009541893.tif 000012
【図１１】
2009541893.tif 000013
【図１２】
2009541893.tif 000014
【図１３】
2009541893.tif 000015
【国際調査報告】
2009541893.tif 000016
2009541893.tif 000017
2009541893.tif 000018